(57)【要約】【課題】内部に物品を収容する容器本体に被着させる包装容器用蓋体について、容器本体の内部に収容した食品が見にくくなる不都合を抑えつつ蓋体自体を補強するための補強構造を蓋体に設けること。【解決手段】平面視で水平方向へ広がる長方形状の天面部110と、その天面部110の長辺または短辺から各々下方に垂下し蓋体100に上下方向の高さをもたらす長手側面部120aまたは短手側面部120bと、その両側面部120の下端に設けられる容器本体200への接合部130とを有し、長手側面部120aには上下方向に沿って蓋体内側へ凹む側面リブ125を設け、この複数の側面リブ125が並列し表面が凹凸面となるリブ部170a、170bを長手側面部120aに複数箇所設け、蓋体角側のリブ部170bのリブ数を蓋体中央側のリブ部170aのリブ数よりも多く形成した。【選択図】図１
2013018530.tif 000002
【特許請求の範囲】
【請求項１】
平面視で水平方向へ広がる長方形状の天面部と、その天面部の長辺または短辺から各々下方に垂下し蓋体に上下方向の高さをもたらす長手側面部または短手側面部と、その両側面部の下端に設けられる容器本体への接合部とを有し、長手側面部には上下方向に沿って蓋体内側へ凹む側面リブを設けた包装容器用蓋体であって、
複数の側面リブが並列し表面が凹凸面となるリブ部を長手側面部に複数箇所設け、蓋体角側のリブ部のリブ数を蓋体中央側のリブ部のリブ数よりも多く形成した包装容器用蓋体。
【請求項２】
平面視で水平方向へ広がる長方形状の天面部と、その天面部の長辺または短辺から各々下方に垂下し蓋体に上下方向の高さをもたらす長手側面部または短手側面部と、その両側面部の下端に設けられる容器本体への接合部とを有し、長手側面部には上下方向に沿って蓋体内側へ凹む側面リブを設けた包装容器用蓋体であって、
前記側面リブの数が蓋体中央側よりも蓋体角側が密になる不均一に側面リブを形成した包装容器用蓋体。
【請求項３】
平面視で水平方向へ広がる長方形状の天面部と、その天面部の長辺または短辺から各々下方に垂下し蓋体に上下方向の高さをもたらす長手側面部または短手側面部と、その両側面部の下端に設けられる容器本体への接合部とを有し、長手側面部には上下方向に沿って蓋体内側へ凹む側面リブを設けた包装容器用蓋体であって、
天面部が周縁近傍に枠状の補強凹部を設けており、天面部の周縁から補強凹部に向かい蓋体内側へ凹む天面リブを複数設けた包装容器用蓋体。
【請求項４】
隣接する天面リブ間の間隔が蓋体中央側よりも蓋体角側が密になる間隔に上記天面リブを形成した請求項３記載の包装容器用蓋体。
【請求項５】
請求項１または請求項２記載の側面リブの一部が請求項３または請求項４記載の天面リブに連続する連通リブを形成する包装容器用蓋体。
【発明の詳細な説明】
【技術分野】
【０００１】
本発明は販売されて持ち帰り可能な食品を収容する包装容器の蓋体に関する。
【背景技術】
【０００２】
コンビニエンスストアやスーパーマーケット等において利用され、販売用の魚や肉、お総菜等の食品を収容する包装容器は、食品を収容する容器本体と、その容器本体に被着させる蓋体とがヒンジで繋がれた一体品として合成樹脂シートで成形されている。こうした例として、例えば、特開平１０−２６４９５２号公報（特許文献１）に包装用容器の発明が記載されている。
【先行技術文献】
【特許文献】
【０００３】
【特許文献１】特開平１０−２６４９５２号公報
【発明の概要】
【発明が解決しようとする課題】
【０００４】
包装容器のうち、食品を収容する容器本体部分は、持ち運び等の際に潰れなどの変形を防止するために、縦横に様々なリブ（凹凸）を形成することでその強度を高めている。しかしながら、蓋体部分についても容器本体と同じようにリブを形成しようとすると、その凹凸によって内部に収容された食品が見えにくく、また見栄えが悪くなるといった不都合がある。そのため、蓋体については十分な補強をすることができず、蓋体と容器本体の接合部分を嵌合構造として、その嵌合構造を蓋体の全周に設けることで容器本体と一体とした補強効果を得ていた。
しかしながら、こうした嵌合構造による蓋体の補強は、容器本体とともに外力が加わるような場合については補強効果を期待できても、蓋体の上部から加わるような容器本体には直接作用しない外力が加わるような場合に、蓋体を十分に保護することが難しかった。
【０００５】
そこで本発明は、形成するリブに工夫を施すことで食品が見にくくなる不都合を可能な限り抑えつつ蓋体自体を補強するための補強構造を蓋体に設けることを目的としてなされたものである。
【課題を解決するための手段】
【０００６】
上記目的を達成するため、平面視で水平方向へ広がる長方形状の天面部と、その天面部の長辺または短辺から各々下方に垂下し蓋体に上下方向の高さをもたらす長手側面部または短手側面部と、その両側面部の下端に設けられる容器本体への接合部とを有し、長手側面部には上下方向に沿って蓋体内側へ凹む側面リブを設けた包装容器用蓋体であって、複数の側面リブが並列し表面が凹凸面となるリブ部を長手側面部に複数箇所設け、蓋体角側のリブ部のリブ数を蓋体中央側のリブ部のリブ数よりも多く設けた包装容器用蓋体を提供する。
【０００７】
包装容器用蓋体について、長手側面部には上下方向に沿って蓋体内側へ凹む側面リブを設けたため、蓋体を補強することができる。
特に、複数の側面リブが並列し表面が凹凸面となるリブ部を、長手側面部に複数箇所設け蓋体角側のリブ部のリブ数を蓋体中央側のリブ部のリブ数よりも多く設けたため、外力が集中しやすい蓋体の角部を中央部よりも補強することができる。そのため、少ないリブ数のリブを効果的に配置することができる。
また、複数の側面リブが並列し表面が凹凸面となるリブ部を設けたため、リブ部とリブ部の間にリブを設けない平坦面を形成することができる。平坦面からは内部が見やすいため、見栄えの悪化を抑えた蓋体を得ることができる。また、複数のリブはリブ部を形成するため、リブ数の単なる和以上の補強に対する相乗効果を得ることができる。
【０００８】
側面リブについては、その数が蓋体中央側よりも蓋体角側が密になる不均一に長手側面部に側面リブを形成することができる。蓋体中央側よりも蓋体角側が密になるように不均一に側面リブを形成することで、蓋体の角側の補強程度を増加させることができる。
【０００９】
あるいは、天面部が周縁近傍に枠状の補強凹部を設けており、天面部の周縁から補強凹部に向かい蓋体内側へ凹む天面リブを複数設けた包装容器用蓋体を提供する。
天面部の周縁近傍に枠状の補強凹部を設けたため、天面部の中心付近に加わる外力を補強凹部で受けることができ、天面部の中心付近にリブを設けずとも天面部を補強することができる。また、内側に収容する食品の見やすさが悪化することを抑えることができる。
そして、天面部の周縁から補強凹部に向かい蓋体内側へ凹む天面リブを複数設けたため、外力が加わりやすい天面部の周縁を効率的に補強することができる。
【００１０】
この天面リブは、隣接する天面リブ間の間隔が蓋体中央側よりも蓋体角側が密になる間隔に設けることができる。隣接する天面リブ間の間隔を蓋体中央側よりも蓋体角側が密になる間隔に天面リブを設けたため、より外力が集中しやすい角側を効果的に補強することができる。
【００１１】
さらに、側面リブのうちの一部の側面リブについては、天面リブに連続するものとし、側面リブと天面リブとが連通する連通リブを形成することができる。側面リブと天面リブとが連通する連通リブを形成したため、天面部と側面部とがリブ部分で連絡することから、天面部に加わる外力を側面部側に受け渡し、あるいはまた側面部側に加わる外力を天面部側に受け渡すことが可能となって、補強効果を高めることができる。
また、側面リブのうちの一部の側面リブを天面リブに連通する連通リブとしたため、必要以上に天面部にリブを設けることが無いよう天面部に設ける天面リブの数を減らし、天面部の視認性を損なわないようにすることができる。
【発明の効果】
【００１２】
本発明の包装容器用蓋体によれば、外部からの圧力を受けても変形し難い補強構造を有し、包装容器の重ね置きが可能である。
【図面の簡単な説明】
【００１３】
【図１】蓋体を備えた包装容器の平面図である。
【図２】図１のＳＡ−ＳＡ線断面図である。
【図３】図１の蓋体の上下を逆転させた正面図である。
【図４】図１の領域Ｒの拡大図である。
【発明を実施するための形態】
【００１４】
本発明の実施形態について、図面を参照しつつ説明する。
図１には補強構造を備える蓋体100と食品を収容する容器本体200がヒンジ300で繋がり一体品となった包装容器１の平面図を、図２にはその右側面図を、図３には図１の蓋体を上下逆転させた正面図を示す。
これらの図面で示すように、蓋体100や容器本体200、ヒンジ300は一体であるため、合成樹脂製のシート材から真空成形や圧空成形等の熱板成形の手段を利用して成形できる。蓋体100は中味の食品が見えやすいように透明で曇りにくい熱可塑性樹脂材などの合成樹脂材で形成することが好ましく、そのため、容器本体200も透明としている。
【００１５】
蓋体100や容器本体200の材質には、例えば、ポリスチレンやポリスチレンを主体とする共重合体等のポリスチレン系樹脂、ポリエチレンやポリプロピレン、オレフィンを主体とする共重合体等のポリオレフイン系樹脂、ポリエチレンテレフタレート等のポリエステル系樹脂、その他の熱成形可能な各種の合成樹脂が挙げられる。
こうしたシート材は、単層構造であっても積層構造であっても良く、また発泡シートであっても良い。
【００１６】
包装容器１を構成する各部位をさらに詳しく説明する。
蓋体100は、食品が収容された際にその上方を覆うように平面視で水平方向に広がりを持つ天面部110と、その長方形状の天面部110の長辺110aまたは短辺110bから各々下方に垂下して蓋体100に上下方向の高さをもたらす長手側面部120aと短手側面部120b、そして、これらの側面部120の下端に設けられ、容器本体200と接合する接合部130とを有し、さらに接合部130から水平方向に鍔状に広がるフランジ部140を有している。特に接合部130は、断面釣形状に形成されており容器本体200に設けた後述する蓋体受け部230と嵌合した状態で被着されるようになっている。
【００１７】
また、多量に食品を詰めたことで蓋体100が容器本体200と十分に嵌合せず、輪ゴムで蓋体100を閉めるような場合に、その輪ゴムが動かないようにするための留め具係止溝180を長手側面120aの中央部分に設けている。
【００１８】
蓋体100の側面部120には、上下方向に沿って蓋体内側へ凹む側面リブ125が複数形成されている。このうち短手側面部120bには、１０個の側面リブ125が並列して均等間隔に設けられている。これらの１０個の側面リブ125のうち、６個の側面リブ125は天面部110にまで延在する連通リブ126となっており、この連通リブ126の間に天面部110までには至らない短リブ127が構成されている。
一方、長手側面部120aには、その中央に設けた留め具係止溝180を対象軸とした左右両側に対称に側面リブ125が設けられている。左右対称であるため、図面手前右側に設けた側面リブ125について、図１の領域Ｒ部分を拡大して示す図４を参照してさらに詳しく説明する。
【００１９】
留め具係止溝180側（図面左側）には、４個の側面リブ125が並列し表面が凹凸面となるリブ部170aを備え、蓋体110の角側（図面右側）には、５個の側面リブ125が並列して表面が凹凸となるリブ部170bを備えている。そのため、蓋体角側のリブ部170bのリブ数は蓋体中央側のリブ部170aのリブ数よりも多くなっている。
蓋体中央側のリブ部170aを構成する４個の側面リブ125のうち、両端の２個の側面リブ125は天面部110にまで延在する連通リブ126となっており、この連通リブ126の間に天面部110までには至らない２個の短リブ127が位置している。また、角側のリブ部170bを構成する５個の側面リブ125のうち、両端と中央の合計３個の側面リブ125は天面部110にまで延在する連通リブ126となっており、この連通リブ126の間に天面部110までには至らない２個の短リブ127が位置している。
こうした長手側面部120aのリブ構成は、ヒンジ側の長手側面部120aにも同様に形成されている。
【００２０】
天面部110は、平面視で水平方向へ広がる長方形状をしているが、周縁近傍に枠状の補強凹部190を設けており、その部分では溝状に凹んでいる。補強凹部190より中央側は平坦であるが、周縁側は、蓋体内側へ凹む天面リブ115が形成されている。
この天面リブ115は、天面部110の周縁から補強凹部190に向かう方向に形成されている。そして、これらの天面リブ115は、長手側面部120bに対応する天面部110の長辺側では、隣接する天面リブ115間の間隔が蓋体中央側よりも蓋体角側が密になる間隔に設けられている。
【００２１】
本実施形態では、中央側と角側とでリブ間隔が異なる複数の側面リブ125を長手側面部120aに設け、あるいは中央側と角側とでリブ間隔が異なる複数の天面リブ115を天面部110の長辺側に設けている。そうした一方で、短手側面部120bや天面部110の短辺側ではリブ間隔を均等に設けている。しかしながら、短手側面部120bや天面部110の短手側でも長手側面部120aや天面部110の長手側と同様にリブ間隔が異なる複数のリブを設けることもできる。
そして、本実施形態では平面視で長方形状の天面部110を有する蓋体100としたが長方形状に限定されることはなく、多角形状の天面部を有する蓋体とすることもでき、そうした場合であっても、中央側と角側とでリブ間隔を変える上記リブ構成を採用することができる。
【００２２】
長手側面部120aと短手側面部120bが交わる部分が角部150を形成し、図１で示す形態では、ヒンジ300側の角部150に対して、蓋体内部側に凹んだ角部凹み溝160を設けている。この角部凹み溝160も蓋体100の補強に貢献するが、角部凹み溝160を設けない構成とすることもできる。
留め具係止溝180についても設けない構成とすることもできる。
【００２３】
包装容器１を構成するもう一方の部分である容器本体200は、食品を収容する底部210と、容器本体200の開口縁から底部210に至る壁部220と、その壁部220の上端に設けられ、蓋体100と接合する蓋体受け部230と、蓋体受け部230から水平方向に鍔状に広がるフランジ部240とを有している。
そして、底部210または底部210から壁部220にかけて容器本体200を補強するリブ部270が形成されている。
また、フランジ部140の角には、蓋体100を開ける際に容器本体200から分離させ易いように、容器本体200側のフランジ部240との間に空隙を形成するプチドーム141が形成されている。
ヒンジ300は、蓋体100と容器本体200とを繋いでいる。
【００２４】
包装容器１は、蓋体100の側面部110に所定の側面リブ125を設けたため、蓋体100に外側からの押圧力が加わっても変形しにくく補強されている。特に、角側を中央側よりも密に側面リブ125を設けたため、外力が集中し易い角側をより補強することができ、少ないリブを効果的に配置することができる。したがって、この蓋体100を備える包装容器１は、蓋体100に設けられるリブ数を容器本体200より少なくして、収容する食品の見栄えの悪化を抑えることができるとともに、重ね置きしても潰れにくく、食品を傷つけずに鮮度を保つことができる。
【００２５】
また、蓋体100が補強されるため、従来よりも肉厚の薄いシート材を原材料として用いることができる。例えば、強度を従来品と同程度としたときに、１３％〜１６％程度シート材厚を薄くすることができる。具体的な一例として、二軸延伸ポリスチレンシート材では、０．１５μｍ〜０．２１μｍ厚とすることが可能である。
【００２６】
なお、これらの実施形態や変形例で示した例は例示であり、こうした形態に限定されるものではなく、本願発明の趣旨に反しない任意の変更形態を含むものである。即ち、上記実施形態で示した一部の構成を含まなかったり、別の公知の構成を含んだり、代替したりしている場合も本願発明の範囲に含まれる。
例えば、図１で示した側面リブ125の数や連通リブ126と短リブ127の数や配置の組合せ、リブ部170a,170bとは異なるリブ部の形成など、本発明が創意した所定の条件の範囲内で種々の変更が可能であり、こうした種々の変更形態も当然本願発明の範囲に含まれる。
【符号の説明】
【００２７】
１、２    包装容器
１００    蓋体
１１０    天面部
１１５    天面リブ
１２０    側面部
１２０ａ    長手側面部
１２０ｂ    短手側面部
１２５    側面リブ
１２６    連通リブ
１２７    短リブ
１３０    接合部
１４０    （蓋側）フランジ部
１４１    プチドーム
１５０    角部
１６０    角部凹み溝
１７０ａ，１７０ｂ    リブ部
１８０    留め具係止溝  
１９０    補強凹部
２００    容器本体
２１０    底部
２２０    壁部
２３０    蓋体受け部
２４０  （本体側）フランジ部
２７０    リブ部
３００    ヒンジ
【図１】
2013018530.tif 000003
【図２】
2013018530.tif 000004
【図３】
2013018530.tif 000005
【図４】
2013018530.tif 000006